(57)【特許請求の範囲】
【請求項１】
撮像レンズからの光束により形成された被写体像を光電変換する撮像素子と、
前記被写体像を観察するための光学ファインダと、
少なくとも一部の領域で光束を透過するハーフミラーを有するメインミラーユニットと、
全反射のミラーを有するサブミラーユニットと、
前記撮像レンズの結像状態を検出するためのＡＦユニットとを備え、
前記撮像レンズからの光束の一部を前記メインミラーユニットにて前記光学ファインダに反射し、透過した残りの光束を前記サブミラーユニットにて反射して前記ＡＦユニットに導く第１の状態と、前記メインミラーユニット及び前記サブミラーユニットで反射及び透過させることなく、前記撮像レンズからの光束の全てを前記撮像素子に導く第２の状態とに切り替え動作可能とした撮像装置であって、
前記サブミラーユニットの反射面とは反対側の面に、前記ミラーユニットの切り替え動作によって飛散する異物を捕獲する異物捕獲部が設けられていることを特徴とする撮像装置。
【請求項２】
前記異物捕獲部は粘着部材により構成されることを特徴とする請求項１に記載の撮像装置。
【請求項３】
前記異物捕獲部は帯電部材により構成されることを特徴とする請求項１に記載の撮像装置。
【発明の詳細な説明】
【技術分野】
【０００１】
本発明は、ミラーユニットを切り替え動作可能とした撮像装置に関する。
【背景技術】
【０００２】
フィルムカメラは、被写体像として入射する光をフィルムに露光するものであるのに対して、デジタルカメラは、光のエネルギーを電気信号に変換する固体撮像素子に露光することによって画像を記録するものである。デジタルカメラの代表例として、レンズ交換式デジタル一眼レフカメラ１００（以下、Ｄ-ＳＬＲ１００と略す）の基本的な概略構成を図１７に示す。
【０００３】
図１７（ａ）は交換レンズ１０２から入った被写体像をファインダ１０３で確認することのできる撮像待機状態を示し、図１７（ｂ）は撮像状態を示す。
【０００４】
１０１は撮像部であり、交換レンズ１０２からの光束により形成された被写体像を光電変換する撮像素子を含む。１０２は交換レンズであり、被写体からの反射光を捉え、撮像部１０１に結像させるための複数のレンズ（１０２ａ、１０２ｂ等）、及び、絞り１０２ｃを備える。
【０００５】
１０３は光学ファインダであり、フォーカシングスクリーン１０７と、プリズム１０８と、接眼レンズ１０９とにより構成される。フォーカシングスクリーン１０７には、主ミラーユニット１０６により上部に反射した光束が結像する。プリズム１０８は、フォーカシングスクリーン１０７に結像した像を正立実像にするために内部で像を反射させる。接眼レンズ１０９は、プリズム１０８から射出された像を適正な倍率で使用者が確認できるようにする。
【０００６】
１０４は交換レンズ１０２を装着するためのマウント部である。１０６は主ミラーユニットであり、ミラーボックス１０５と呼ばれる空間内で交換レンズ１０２と撮像部１０１の光軸上に配置されている。
【０００７】
１１０はサブミラーユニットであり、交換レンズ１０２から入射した光束のうち主ミラーユニット１０６を透過した光束を反射してＡＦユニット１１１に導く。１１１はＡＦ（オートフォーカス）ユニットであり、被写体との距離を測定する。
【０００８】
１１２は複数のシャッタ羽根からなるフォーカルプレーンシャッタであり、入射した光束を所望時間だけ撮像部１０１に照射させる。
【０００９】
撮像待機状態では、図１７（ａ）に示すように、光軸上に設置された主ミラーユニット１０６により光束の一部が上部に垂直に反射し、使用者はファインダ１０３を介して被写体像を確認することができる。これにより、使用者はファインダ１０３により交換レンズ１０２から入射した被写体像の構図を決定することができる。また、主ミラーユニットを透過した残りの光束がサブミラーユニット１０６により反射してＡＦユニット１１１に導かれる。
【００１０】
撮像状態では、図１７（ｂ）に示すように、交換レンズ１０２から入射した光束を撮像部１０１に入射させるために主ミラーユニット１０６及びサブミラーユニット１１０を跳ね上げて光軸上から退避させる。その状態で、フォーカルプレーンシャッタ１１２のシャッタ羽根を開くことにより光束が撮像部１０１に入射する。
【００１１】
ところで、フィルムカメラでは、フィルムに塵埃等の異物が付着しても、フィルムを巻き上げれば次のコマに影響を与えることがない。しかしながら、Ｄ-ＳＬＲ１００では、フィルムカメラと異なり撮像部１０１で撮像するために、撮像部１０１に異物が付着すると、その付着した異物がある箇所は、撮像部１０１に光が届かないために撮影画像に影として写り込み続けてしまう。
【００１２】
異物が発生する原因として、以下のことが考えられる。第１に、フォーカルプレーンシャッタ１１２を備えたカメラでは、シャッタ羽根がシャッタ動作時に擦れることによってシャッタ羽根の塗装が剥がれ、異物としてカメラ内部に残留してしまう。
【００１３】
第２に、レンズ交換式のカメラでは、交換レンズ１０２非装着時にマウント部１０４を保護する不図示のマウントキャップを装着する。そのときに、マウントキャップとマウント部１０４の擦れによりマウントキャップが削れ、その削れ片が異物として侵入してしまう。
【００１４】
第３に、交換レンズ１０２の交換時に、マウント部１０４を介してカメラ内部が外界にさらされ、カメラ内部へ異物が侵入してしまう。
【００１５】
上記第２、第３の理由でミラーボックス１０５内に侵入した異物は、撮像部１０１に直接付着することはほとんどなく、まずミラーボックス１０５内に付着し、その異物がなんらかの原因で撮像部１０１に付着する。なぜなら、撮影中以外では撮像部１０１に光が入射しないように、撮像部１０１の前面にフォーカルプレーンシャッタ１１２があり、シャッタ羽根が撮像部１０１を完全に覆っているからである。
【００１６】
ところで、ミラーアップ動作時に、ミラーボックス１０５内では主ミラーユニット１０６やサブミラーユニット１１０が移動することによって空気の対流が生じる。例えば、主ミラーユニット１０６上方の空間は、主ミラーユニット１０６がアップ動作することにより容積が小さくなるので、主ミラーユニット１０６上方の空間に存在していた空気が主ミラーユニット１０６の下側に流れる。この気流により、ミラーボックス１０５内に進入した異物のうち、主ミラーユニット１０６に付着した異物は付着位置から離れて移動し、主ミラーユニット１０６の下側に回り込んで、撮像部１０１に向かってしまう。
【００１７】
撮像部１０１に向かう異物を捕獲する対策として、フォーカルプレーンシャッタ内に粘着部を設ける技術が知られている（特許文献１を参照）。これは、フォーカルプレーンシャッタ内のシャッタ羽根が接触しない箇所に粘着部を設け、フォーカルプレーンシャッタから発生した異物を捕獲するというものである。
【００１８】
また、フォーカルプレーンシャッタと撮像部の間に粘着部材を設ける技術が知られている（特許文献２を参照）。これは、フォーカルプレーンシャッタと撮像部の間を密閉し、その壁の部分を粘着部材にすることで侵入してきた異物を捕獲するというものである。
【先行技術文献】
【特許文献】
【００１９】
【特許文献１】特開２００２−３５０９２６号公報（第９頁、図１）
【特許文献２】特開２００４−８５９４２号公報（第７頁、図１）
【発明の概要】
【発明が解決しようとする課題】
【００２０】
特許文献１にあるように、フォーカルプレーンシャッタ内に粘着部を設ける場合、フォーカルプレーンシャッタから発生した異物のうち、粘着部に衝突するもののみが捕獲可能である。しかしながら、主ミラーユニットやミラーボックス内壁に付着していて、気流に乗る等してフォーカルプレーンシャッタの開口に飛んでくる異物に対しては効果がないという問題があった。
【００２１】
また、特許文献２にあるように、フォーカルプレーンシャッタと撮像部の間を密閉し、その壁の部分を粘着部材にしたときも、特許文献１の課題と同様に、主ミラーユニットやミラーボックス内壁に付着していて、気流に乗る等してフォーカルプレーンシャッタの開口に飛んでくる異物に対しては効果がないという問題があった。さらに、粘着部が固定されているため、異物の付着状況や時間の経過により異物の捕獲能力が低下するという問題があった。
【００２２】
本発明は上記問題点に鑑みてなされたもので、切り替え動作可能なミラーユニットに着目して異物を捕獲するようにして、撮像素子を含む撮像部に異物が付着するのを抑えることを目的とする。
【課題を解決するための手段】
【００２３】
本発明の撮像装置は、撮像レンズからの光束により形成された被写体像を光電変換する撮像素子と、前記被写体像を観察するための光学ファインダと、少なくとも一部の領域で光束を透過するハーフミラーを有するメインミラーユニットと、全反射のミラーを有するサブミラーユニットと、前記撮像レンズの結像状態を検出するためのＡＦユニットとを備え、前記撮像レンズからの光束の一部を前記メインミラーユニットにて前記光学ファインダに反射し、透過した残りの光束を前記サブミラーユニットにて反射して前記ＡＦユニットに導く第１の状態と、前記メインミラーユニット及び前記サブミラーユニットで反射及び透過させることなく、前記撮像レンズからの光束の全てを前記撮像素子に導く第２の状態とに切り替え動作可能とした撮像装置であって、前記サブミラーユニットの反射面とは反対側の面に、前記ミラーユニットの切り替え動作によって飛散する異物を捕獲する異物捕獲部が設けられていることを特徴とする。
【発明の効果】
【００２４】
本発明によれば、切り替え動作可能なミラーユニットに付着した異物が飛散するのを防止したり、ミラーユニットの切り替え動作を利用してミラーユニットのまわりに浮遊する異物を捕獲したりすることができ、撮像素子を含む撮像部に異物が付着するのを抑えることができる。
【図面の簡単な説明】
【００２５】
【図１】第１の実施形態に係る撮像装置の概略構成を示す図である。
【図２】第１の実施形態に係る主ミラーユニットを交換レンズ側から見た前方斜視図である。
【図３】図２のＡ部拡大図である。
【図４】ミラーアップ動作中のミラーボックス内を交換レンズ側から見た正面図である。
【図５】第２の実施形態に係る撮像装置の概略構成を示す図である。
【図６】第２の実施形態に係る主ミラーユニットを交換レンズ側から見た前方斜視図である。
【図７】図６のＸ-Ｘ線断面図である。
【図８】第３の実施形態に係る撮像装置の概略構成を示す図である。
【図９】第３の実施形態に係る主ミラーユニットを交換レンズ側から見た前方斜視図である。
【図１０】ミラーアップ動作中のミラーボックス内を交換レンズ側から見た正面図である。
【図１１】ミラーアップ動作中のミラーボックス内を交換レンズ側から見た側面図である。
【図１２】ミラーアップ前、ミラーアップ動作中、ミラーアップ後の主ミラーユニットとミラーボックスとの関係を示す正面図である。
【図１３】ミラーアップ前、ミラーアップ動作中、ミラーアップ後の主ミラーユニットとミラーボックスとの関係を示す側面図である。
【図１４】第４の実施形態に係る撮像装置の概略構成を示す図である。
【図１５】第４の実施形態に係る主ミラーユニット及びサブミラーユニットをフォーカルプレーンシャッタ側から見た後方斜視図である。
【図１６】ミラーダウン動作時の主ミラーユニット及びサブミラーユニットの側面図である。
【図１７】レンズ交換式デジタル一眼レフカメラの基本的な概略構成を示す図である。
【発明を実施するための形態】
【００２６】
以下、添付図面を参照して、本発明の好適な実施形態について説明する。
（第１の実施形態）
図１には、第１の実施形態に係る撮像装置であるレンズ交換式デジタル一眼レフカメラＤ-ＳＬＲの概略構成を示す。なお、主ミラーユニット（メインミラーユニット）１以外の構成要素は図１７と同様であるので、同一の符号を付すとともに、その詳細な説明は省略する。
【００２７】
図２には、主ミラーユニット１を交換レンズ１０２側から見た前方斜視図を示す。１１はミラー部材、１２はミラー部材１１を保持する保持部材、１３はミラー部材１１の外周に位置するように保持部材１２に設けられた塀部材である。塀部材１３はミラー部材１１の反射面よりも一段高くなっている。
【００２８】
図３には、図２のＡ部拡大図を示す。１３ａは粘着部材であり、塀部材１３の内側、すなわちミラー部材１１側の全面に貼り付けられている。なお、粘着部材１３ａとしては、塀部材１３に貼り付けるようにしたものだけでなく、例えば粘着剤を塗布するような形態であってもよい。
【００２９】
図４には、ミラーアップ動作中のミラーボックス１０５内を交換レンズ１０２側から見た正面図を示す。１４はミラーアップ動作前にミラー部材１１に付着していた異物である。既述したように、ミラーボックス１０５内では主ミラーユニット１やサブミラーユニット１１０が移動することによって空気の対流が生じる。特に、主ミラーユニット１上方の空間は、主ミラーユニット１がアップ動作することにより容積が小さくなるので、主ミラーユニット１上方の空間に存在していた空気が主ミラーユニット１の下側に流れる。これにより、異物１４はミラーアップ動作によって生じる気流に乗って、矢印Ａのように左右方向や矢印Ｂのように前後方向あるいは斜め方向等、ミラー部材１１の中心側から端に向かって移動する。
【００３０】
この場合に、ミラー部材１１の外周には塀部材１３が設けられているので、移動してきた異物１４は塀部材１３の内側に衝突する。塀部材１３の内側には粘着部材１３ａが設けられているので、塀部材１３の内側に衝突した異物１４は粘着部材１３aにより捕獲される。したがって、ミラー部材１１に付着していた異物１４が飛散するのを防止することができ、ミラーアップ動作中やミラーアップ動作後、主ミラーユニット１の下側に回り込むことがない。すなわち、異物１４がミラーアップ動作中にミラーボックス１０５内を浮遊するのを防ぐことができる。これにより、異物１４がミラーボックス１０５に付着することもないため、撮像部１０１に異物が付着するのを抑えることができる。
【００３１】
本実施形態において、粘着部材１３ａを交換可能にしておけば、粘着部材１３ａの粘着力が弱くなったときに粘着部材１３ａを交換することで、異物捕獲能力を常に維持することができる。また、塀部材１３を保持部材１２と別体として着脱可能とし、塀部材１３そのものを交換するようにしてもよい。逆に、保持部材１２と塀部材１３を一体化する場合は、部品点数を削減することができる。
【００３２】
また、粘着部材１３ａの代わりに帯電部材を用いれば、帯電部材が持つ静電気力によって帯電部材に衝突した異物１４を捕獲し続けることができる。帯電部材としては、例えば集塵機のフィルタに用いられるようなエレクトレット繊維を編んだ物等が考えられる。
【００３３】
以上説明したように、切り替え動作可能な主ミラーユニット１に付着した異物が飛散するのを防止することができ、撮像素子を含む撮像部１０１に異物が付着するのを抑えることができる。
【００３４】
（第２の実施形態）
図５には、第２の実施形態に係る撮像装置であるレンズ交換式デジタル一眼レフカメラＤ-ＳＬＲの概略構成を示す。第２の実施形態は、第１の実施形態の変形例である。なお、主ミラーユニット２以外の構成要素は図１７と同様であるので、同一の符号を付すとともに、その詳細な説明は省略する。
【００３５】
図６には、主ミラーユニット２を交換レンズ１０２側から見た前方斜視図を示す。１１はミラー部材、１２はミラー部材１１を保持する保持部材、１５はミラー部材の外周に位置するように保持部材１２に設けられた塀部材である。塀部材１５はミラー部材１１の反射面よりも一段高くなっている。
【００３６】
１５ａは粘着部材であり、塀部材１５の内側、すなわちミラー部材１１側の全面に貼り付けられている。なお、粘着部材１５ａとしては、塀部材１５に貼り付けるようにしたものだけでなく、例えば粘着剤を塗布するような形態であってもよい。
【００３７】
図７には、図６のＸ-Ｘ線断面図を示す。同図に示すように、塀部材１５が中間位置で内側、すなわちミラー部材１１側に折れ曲がっている。これにより、まっすぐに立ち上がる塀部材１３と比べて、ミラーアップ動作中にミラー部材１１の端に向かって移動する異物１４（図７中には不図示）をより確実に粘着部材１５ａにより捕獲することができる。
【００３８】
もちろん、図７に示す断面に限らず、他の外周部においても同様に塀部材１５がミラー部材１１側に折れ曲がっていれば、さらに効果がある。
【００３９】
本実施形態においても、第１の実施形態と同様に、粘着部材１５ａを交換可能にしておけば、粘着部材１５ａの粘着力が弱くなったときに粘着部材１５ａを交換することで、異物捕獲能力を常に維持することができる。また、塀部材１５を保持部材１２と別体として着脱可能とし、塀部材１５そのものを交換するようにしてもよい。逆に、保持部材１２と塀部材１５を一体化する場合は、部品点数を削減することができる。
【００４０】
また、粘着部材１５ａの代わりに帯電部材を用いれば、帯電部材が持つ静電気力によって帯電部材に衝突した異物１４を捕獲し続けることができる。帯電部材としては、例えば集塵機のフィルタに用いられるようなエレクトレット繊維を編んだ物等が考えられる。
【００４１】
以上説明したように、切り替え動作可能な主ミラーユニット１に付着した異物が飛散するのを防止することができ、撮像素子を含む撮像部１０１に異物が付着するのを抑えることができる。
【００４２】
（第３の実施形態）
図８には、第３の実施形態に係る撮像装置であるレンズ交換式デジタル一眼レフカメラＤ-ＳＬＲの概略構成を示す。なお、主ミラーユニット３以外の構成要素は図１７と同様であるので、同一の符号を付すとともに、その詳細な説明は省略する。
【００４３】
図９には、主ミラーユニット３を交換レンズ１０２側から見た前方斜視図を示す。また、図１０には、ミラーアップ動作中のミラーボックス１０５内を交換レンズ１０２側から見た正面図を、図１１には、ミラーボックス１０５内の側面図をそれぞれ示す。
【００４４】
２１はミラー部材１１を保持する保持部材である。保持部材２１の左右の側面とフォーカルプレーンシャッタ１１２（すなわち、撮像部１０１）側の側面には粘着部材２１ａが貼り付けられている。
【００４５】
また、２２はミラー部材１１の外周のうち交換レンズ１０２側に位置するように保持部材１２に設けられた塀部材である。塀部材２２はミラー部材１１の反射面よりも一段高くなっている。２２ａは粘着部材であり、塀部材２２の内側、すなわちミラー部材１１側に貼り付けられている。
【００４６】
また、２３は主ミラーユニット３を回転させる回転軸である。
【００４７】
ここで、図１０、１１に示すように、粘着部材２１ａが貼り付けられている保持部材２１の左右の側面とフォーカルプレーンシャッタ１１２側の側面とは傾斜面となっている。すなわち、ミラー部材１１から離れるほど、保持部材２１の側面とミラーボックス１０５の壁面との隙間が小さくなっている。このように保持部材２１の側面が傾斜面となっていることにより、ミラーアップ動作中の主ミラーユニット３の空気抵抗が小さくなり、ミラーアップ速度を大きくすることができる。
【００４８】
１４はミラーアップ動作前にミラー部材１１に付着していた異物である。既述したように、異物１４はミラーアップ動作によって生じる気流に乗って、矢印Ｃのように前後方向や矢印Ｄのように左右方向あるいは斜め方向等、ミラー部材１１の中心側から端に向かって移動する。
【００４９】
図１２は、ミラーアップ前、ミラーアップ動作中、ミラーアップ後の主ミラーユニット３とミラーボックス１０５との関係を示す正面図である。３ａはミラーアップ前の主ミラーユニット３を、３ｂはミラーアップ動作中の主ミラーユニット３を、３ｃはミラーアップ後の主ミラーユニット３をそれぞれ表している。
【００５０】
また、２４ａ、２５ａはミラーアップ動作前の主ミラーユニット３ａとミラーボックス１０５との左右の隙間である。２４ｂ、２５ｂはミラーアップ動作中の主ミラーユニット３ｂとミラーボックス１０５との左右の隙間である。２４ｃ、２５ｃはミラーアップ後の主ミラーユニット３ｃとミラーボックス１０５との左右の隙間である。
【００５１】
図１２に示すように、ミラーアップ動作前、ミラーアップ動作中、ミラーアップ後のいずれの状態においても主ミラーユニット３の左右とミラーボックス１０５との隙間は小さい。
【００５２】
図１３は、ミラーアップ前、ミラーアップ動作中、ミラーアップ後の主ミラーユニット３とミラーボックス１０５との関係を示す側面図である。３a、３ｂ、３ｃはそれぞれ、図１２と同じく、ミラーアップ前の主ミラーユニット３、ミラーアップ動作中の主ミラーユニット３、ミラーアップ後の主ミラーユニット３を表している。
【００５３】
また、２６ａ、２６ｂ、２６ｃはそれぞれミラーアップ動作前、ミラーアップ動作中、ミラーアップ動作後の主ミラーユニット３a、３ｂ、３ｃとミラーボックス１０５のフォーカルプレーンシャッタ１１２側との隙間を表わしている。
【００５４】
また、２７ａ、２７ｂ、２７ｃはそれぞれミラーアップ動作前、ミラーアップ動作中、ミラーアップ動作後の主ミラーユニット３ａ、３ｂ、３ｃとミラーボックス１０５の交換レンズ１０２側との隙間を表わしている。
【００５５】
ところで、主ミラーユニット３の回転軸２３ａ、２３ｂ、２３ｃは、主ミラーユニット３のフォーカルプレーンシャッタ１１２側に配置される。したがって、主ミラーユニット３のフォーカルプレーンシャッタ１１２側はほとんど移動せず、主ミラーユニット３がミラーアップ動作のどの状態にあっても隙間２６ａ、２６ｂ、２６ｃはほとんど変わらず小さいままである。一方、主ミラーユニット３の交換レンズ１０２側はミラーアップ動作に伴い大きく回転移動し、隙間２７ａが最大で、ミラーアップ動作を開始すると主ミラーユニット３とミラーボックス１０５との隙間は小さくなる。
【００５６】
以上の点を考慮すると、主ミラーユニット３の上方にある空気は主ミラーユニット３とミラーボックス１０５の交換レンズ１０２側との隙間２７ｂに多く流れるということになる。この場合に、ミラー保持部材２１のうち隙間が大きくなる部分を傾斜面にすると、異物１４を捕獲しきれなくなるおそれがある。そこで、隙間が大きくなる部分では塀部材２２を設け、その内側に粘着部材２２ａを設けるのに対し、隙間が小さい部分では傾斜面にし、そこに粘着部材２１ａを設けたほうが良い。すなわち、ミラー部材１１の交換レンズ１０２側には塀部材２２を設けて、他の周囲は傾斜面にして粘着部２１ａを設け、異物１４が主ミラーユニット３の下側に回り込まないようにする。
【００５７】
本実施形態においても、第１、２の実施形態と同様に、粘着部材２１ａや粘着部材２２ａを交換可能にしておけば、粘着部材２１ａや粘着部材２２ａの粘着力が弱くなったときに粘着部材２１ａや粘着部材２２ａを交換することで、異物捕獲能力を常に維持することができる。また、塀部材２２を保持部材１２と別体として着脱可能とし、塀部材２２そのものを交換するようにしてもよい。逆に、保持部材１２と塀部材２２を一体化する場合は、部品点数を削減することができる。
【００５８】
また、粘着部材２１ａや粘着部材２２ａの代わりに帯電部材を用いれば、帯電部材が持つ静電気力によって帯電部材に衝突した異物１４を捕獲し続けることができる。帯電部材としては、例えば集塵機のフィルタに用いられるようなエレクトレット繊維を編んだ物等が考えられる。
【００５９】
以上説明したように、切り替え動作可能な主ミラーユニット３に付着した異物が飛散するのを防止することができ、撮像素子を含む撮像部１０１に異物が付着するのを抑えることができる。また、保持部材の全外周に塀部材を設けるよりも簡単な構造とすることができ、特に塀部材２２を交換可能にした場合にはその取り付け作業を行いやすくすることができる。
【００６０】
（第４の実施形態）
第１〜３の実施形態は、ミラー部材１１上に付着した異物が飛散するのを防止するための発明を適用したものである。それに対して、本第４の実施形態は、ミラーボックス１０５内に浮遊する異物を捕獲するための発明を適用したものである。
【００６１】
図１４には、第４の実施形態に係る撮像装置であるレンズ交換式デジタル一眼レフカメラＤ-ＳＬＲの概略構成を示す。なお、主ミラーユニット１及びサブミラーユニット５以外の構成要素は図１７と同様であるので、同一の符号を付すとともに、その詳細な説明は省略する。
【００６２】
図１５には、主ミラーユニット１及びサブミラーユニット５をフォーカルプレーンシャッタ１１２側から見た後方斜視図を示す。１２はミラー部材を保持する保持部材であり、第１の実施形態で説明したものと同様のものである。
【００６３】
サブミラーユニット５は、ミラー部材（不図示）を保持する保持部材５１、保持部材５１を回転させるために保持部材５１に取り付けられ、ミラーボックス１０５に設置されたダボ５３を中心に回転するアーム５２、サブミラーユニット５の反射面とは反対側の面、すなわち保持部材５１の裏面に設置された粘着部材５４とにより構成されている。
【００６４】
図１６は、ミラーダウン動作時のミラーユニット１、５の側面図である。図１６（ａ）はミラーダウン動作前、図１６（ｂ）はミラーダウン動作中、図１６（ｃ）はミラーダウン動作後を表している。これら図１６（ａ）〜１６（ｃ）に示すように、ミラーダウン動作によってサブミラーユニット５はミラーボックス１０５内を大きく移動する。したがって、図１５に示すように、サブミラーユニット５に粘着部材５４があれば、ミラーダウン動作時に、粘着部材５４がミラーボックス１０５内を移動することによって、ミラーボックス１０５内を浮遊した異物を捕獲することができる。
【００６５】
本実施形態においても、粘着部材５４を交換可能にしておけば、粘着部材５４の粘着力が弱くなったときに粘着部材５４を交換することで、異物捕獲能力を常に維持することができる。また、粘着部材５４の代わりに帯電部材を用いれば、帯電部材が持つ静電気力によって帯電部材に衝突した異物１４を捕獲し続けることができる。帯電部材としては、例えば集塵機のフィルタに用いられるようなエレクトレット繊維を編んだ物等が考えられる。
【００６６】
以上説明したように、サブミラーユニット５の切り替え動作に伴ってミラーボックス５内に浮遊する異物を捕獲することができ、撮像素子を含む撮像部１０１に異物が付着するのを抑えることができる。
【符号の説明】
【００６７】
１、２、３、４・・・主ミラーユニット
５・・・サブミラーユニット
１１・・・ミラー部材
１２、２１・・・保持部材
１３、１５、２２・・・塀部材
１３ａ、１５ａ、２１ａ、５４・・・粘着部材
１４・・・異物
１０１・・・撮像部
１０２・・・交換レンズ
１０５・・・ミラーボックス
【図１】
0005318237.tif 000002
【図２】
0005318237.tif 000003
【図３】
0005318237.tif 000004
【図４】
0005318237.tif 000005
【図５】
0005318237.tif 000006
【図６】
0005318237.tif 000007
【図７】
0005318237.tif 000008
【図８】
0005318237.tif 000009
【図９】
0005318237.tif 000010
【図１０】
0005318237.tif 000011
【図１１】
0005318237.tif 000012
【図１２】
0005318237.tif 000013
【図１３】
0005318237.tif 000014
【図１４】
0005318237.tif 000015
【図１５】
0005318237.tif 000016
【図１６】
0005318237.tif 000017
【図１７】
0005318237.tif 000018